(57)【要約】【課題】大型化することなくコネクタ嵌合保持力を向上させるコネクタ装置を提供する。【解決手段】コネクタ装置１１は、シールド電線が接続された電線側コネクタ１７と、回路基板に表面実装された基板側コネクタ１３とからなる。電線側コネクタ１７が、電線側端子５９を収容保持する電線側ハウジング２９と、シールド電線のシールド部を電線側ハウジング２９に固定した金属プレート２３との間で挟持する電線挟持部材３１と、を有する。基板側コネクタ１３が、基板側端子１９を収容保持する基板側ハウジング５３と、基板側ハウジング５３を回路基板に保持固定すると共に回路基板のアース回路に接続されるペグ７５と、を有する。コネクタ嵌合時には、電線側ハウジング２９と基板側ハウジング５３との間に設けた第１ロック係止部５７が係止されると共に、金属プレート２３と固定金具との間に設けた第２ロック係止部が係止される。【選択図】図２
2014222648.tif 000002
【特許請求の範囲】
【請求項１】
シールド電線が接続された電線側コネクタと、回路基板に表面実装された基板側コネクタとがコネクタ嵌合されるコネクタ装置であって、
前記電線側コネクタが、前記シールド電線の導体に電気的に接続される電線側端子を収容保持する電線側ハウジングと、前記シールド電線の先端部に露出したシールド部を前記電線側ハウジングに固定した金属プレートとの間で挟持する電線挟持部材と、を有し、
前記基板側コネクタが、前記電線側端子にそれぞれ電気的に接続される基板側端子を収容保持する基板側ハウジングと、前記基板側ハウジングに固定されて前記基板側ハウジングを前記回路基板に保持固定すると共に前記回路基板のアース回路に電気的に接続される固定金具と、を有し、
コネクタ嵌合時には、前記電線側ハウジングと前記基板側ハウジングとの間に設けた第１ロック係止部が係止されると共に、前記金属プレートと前記固定金具との間に設けた第２ロック係止部が係止されることを特徴とするコネクタ装置。
【請求項２】
前記第１ロック係止部が、前記基板側ハウジング及び前記電線側ハウジングのコネクタ幅方向の中央部１箇所に設けられ、
前記第２ロック係止部が、前記基板側ハウジング及び前記電線側ハウジングのコネクタ幅方向の両端部２箇所に設けられることを特徴とする請求項１に記載のコネクタ装置。
【請求項３】
前記電線側コネクタが、前記シールド部を挟持した前記電線挟持部材との間で前記シールド電線のシース部で覆われた部分を挟持する電線シースカバーを備えることを特徴とする請求項１又は請求項２に記載のコネクタ装置。
【発明の詳細な説明】
【技術分野】
【０００１】
本発明は、コネクタ装置に関する。
【背景技術】
【０００２】
ＦＦＣ（フレキシブルフラットケーブル）等の可撓性を有した平形ケーブルが接続されるコネクタ装置が知られている（例えば、特許文献１参照）。
図７に示したコネクタ５０１は、コネクタ５０１の上面側が、導電性材料から形成されたアクチュエータ５０３のシールド板５０５及びシールドシェル５０７によって覆われている。アクチュエータ５０３は、その回転軸に沿って延びるカム軸５０９を有している。カム軸５０９には、コンタクト５１１の中でフロントコンタクト５１３及びリアコンタクト５１５に対応した位置にカム５１７が形成されている。カム５１７は、アクチュエータ５０３の回動中心に対して偏心している。
【０００３】
カム５１７は、アクチュエータ５０３のレバー部５１９をハウジング５２１に対して立てた状態で、フロントコンタクト５１３及びリアコンタクト５１５を開放し、ハウジング５２１への平形ケーブル５２３の挿入が可能となる。立てた状態からレバー部５１９を回動操作して倒すと、カム５１７が回動し、アクチュエータ５０３の下面が平形ケーブル５２３を介してコンタクト５１１を押圧する。そこで、レバー部５１９の回動操作により、コンタクト５１１が開放状態から平形ケーブル５２３をコンタクト５１１でクランプしたクランプ状態に切り替えられる。
【０００４】
アクチュエータ５０３には、金属等の導電性材料からなるシールド板５０５が内蔵されている。シールド板５０５は、アクチュエータ５０３の成形時に一体成形される。シールド板５０５は、アクチュエータ５０３を閉状態としたときに、アクチュエータ５０３の前端部から後端部近傍までの範囲を覆う。シールド板５０５は、アクチュエータ５０３を閉状態としたときに、アクチュエータ５０３の下面に露出する接触部５２５を有する。シールド板５０５は、アクチュエータ５０３を閉状態としたときに、平形ケーブル５２３の上面を接触部５２５によって押圧する。また、シールド板５０５の幅方向両端部に接点片５２７が形成されている。平形ケーブル５２３をクランプしている状態で、接点片５２７は、ペグ５２９の係止孔５３１に挿入され、係止孔５３１の内壁と接触し、シールド板５０５とペグ５２９とを電気的に接続させる。
【０００５】
コネクタ５０１は、平形ケーブル５２３のシールド層とプリント配線板（回路基板）５３３の接地パターンとが、アクチュエータ５０３のシールド板５０５、シールドコンタクト５３５及びシールドシェル５０７を介して、或いは、アクチュエータ５０３のシールド板５０５とペグ５２９を介して、電気的に接続される。
【先行技術文献】
【特許文献】
【０００６】
【特許文献１】特開２０１０−６１９２７号公報
【発明の概要】
【発明が解決しようとする課題】
【０００７】
しかしながら、平形ケーブル５２３をプリント配線板５３３に電気的に接続するためにプリント配線板５３３に表面実装される上記構成のコネクタ５０１は、平形ケーブル５２３をクランプするアクチュエータ５０３がカム５１７によってロックされるが、ロック保持力が十分とは云えない。
また、雌雄コネクタハウジングからなるコネクタ装置の場合、雌雄コネクタハウジング間にロック係止部を設けて、雌雄コネクタ相互のコネクタ嵌合力を保持するが、平形ケーブルを接続するコネクタ装置はコネクタ幅が広いため複数のロック係止部をコネクタの幅方向両端に設けなければならず、コネクタ装置が大型化するという問題があった。
【０００８】
本発明は上記状況に鑑みてなされたもので、その目的は、大型化することなくコネクタ嵌合保持力を向上させることができるコネクタ装置を提供することにある。
【課題を解決するための手段】
【０００９】
本発明に係る上記目的は、下記構成により達成される。
（１）  シールド電線が接続された電線側コネクタと、回路基板に表面実装された基板側コネクタとがコネクタ嵌合されるコネクタ装置であって、前記電線側コネクタが、前記シールド電線の導体に電気的に接続される電線側端子を収容保持する電線側ハウジングと、前記シールド電線の先端部に露出したシールド部を前記電線側ハウジングに固定した金属プレートとの間で挟持する電線挟持部材と、を有し、前記基板側コネクタが、前記電線側端子にそれぞれ電気的に接続される基板側端子を収容保持する基板側ハウジングと、前記基板側ハウジングに固定されて前記基板側ハウジングを前記回路基板に保持固定すると共に前記回路基板のアース回路に電気的に接続される固定金具と、を有し、コネクタ嵌合時には、前記電線側ハウジングと前記基板側ハウジングとの間に設けた第１ロック係止部が係止されると共に、前記金属プレートと前記固定金具との間に設けた第２ロック係止部が係止されることを特徴とするコネクタ装置。
【００１０】
上記（１）の構成のコネクタ装置によれば、電線側コネクタと基板側コネクタとのコネクタ嵌合時には、電線側ハウジングと基板側ハウジングとの間に設けた第１ロック係止部と、金属プレートと固定金具との間に設けた第２ロック係止部とが、同時に係止されて二重係止となる。そこで、上記構成のコネクタ装置は、コネクタ嵌合保持力が向上する。
また、第２ロック係止部が、電線側ハウジングに固定された金属プレートと回路基板及び基板側ハウジングに固定された固定金具との間に設けられるので、電線側ハウジングと基板側ハウジングとの間には第１ロック係止部を１箇所だけを設ければよい。そこで、上記構成のコネクタ装置は、電線側ハウジングと基板側ハウジングとの間に複数のロック係止部をコネクタの幅方向両端に設けていた従来のコネクタ装置に比べて、小型化することができる。
【００１１】
（２）  上記（１）の構成のコネクタ装置であって、前記第１ロック係止部が、前記基板側ハウジング及び前記電線側ハウジングのコネクタ幅方向の中央部１箇所に設けられ、前記第２ロック係止部が、前記基板側ハウジング及び前記電線側ハウジングのコネクタ幅方向の両端部２箇所に設けられることを特徴とするコネクタ装置。
【００１２】
上記（２）の構成のコネクタ装置によれば、基板側ハウジングと電線側ハウジングは、第１ロック係止部と第２ロック係止部とによって三点支持にて固定されるので、がたつきが生じることのない高いコネクタ嵌合保持力を得ることができる。
【００１３】
（３）  上記（１）又は（２）の構成のコネクタ装置であって、前記電線側コネクタが、前記シールド部を挟持した前記電線挟持部材との間で前記シールド電線のシース部で覆われた部分を挟持する電線シースカバーを備えることを特徴とするコネクタ装置。
【００１４】
上記（３）の構成のコネクタ装置によれば、前記電線側端子が接続された先端部よりも後方のシース部で覆われた部分のシールド電線が、電線挟持部材と電線シースカバーとで挟持されるので、シールド電線に作用した張力がシールド電線の導体と電線側端子との導体接触部に作用する虞がない。そこで、シールド電線の端部に接続された電線側コネクタの接続信頼性を高めることができる。
【発明の効果】
【００１５】
本発明に係るコネクタ装置によれば、大型化することなくコネクタ嵌合保持力を向上させることができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係るコネクタ装置の斜視図である。
【図２】図１に示したコネクタ装置の分解斜視図である。
【図３】信号ライン、シールド部が露出したシールド電線における先端部の斜視図である。
【図４】（ａ）は図１に示した電線側コネクタの部分断面斜視図、（ｂ）は（ａ）の要部拡大図である。
【図５】（ａ）図１に示したコネクタ装置の側面図、（ｂ）は（ａ）のＡ−Ａ断面図、（ｃ）は（ｂ）の要部拡大図である。
【図６】図２に示した固定金具と金属プレートの接続状態を説明する斜視図である。
【図７】（ａ）は従来のコネクタをシールド電線と共に表した斜視図、（ｂ）は（ａ）に示したコネクタの縦断面図である。
【発明を実施するための形態】
【００１８】
以下、本発明に係る実施形態を図面を参照して説明する。
図１及び図２に示すように、本発明の一実施形態に係るコネクタ装置１１は、ＥＣＵ等の機器に収容される回路基板２１に表面実装される基板側コネクタ１３と、平型ケーブルであるフラットシールド電線（シールド電線）１５に固定されてこの基板側コネクタ１３と嵌合する電線側コネクタ１７とに大別構成される。
【００１９】
図２に示すように、基板側コネクタ１３は、導出された複数の基板側端子１９が図１に示した回路基板２１のスルーホール６９に半田付けされる。この基板側コネクタ１３に嵌合される電線側コネクタ１７は、複数部材が嵌合方向に組み付けられて一体に構成されている。
【００２０】
基板側コネクタ１３と分離された電線側コネクタ１７は、金属プレート２３の一部分（後述のＵ字状両端突出片２５）が、電線側コネクタ１７の嵌合方向の前方に向かって、両側から突出されている。この金属プレート２３は、後述するように、電線側コネクタ１７が取り付けられるフラットシールド電線１５のシールド部２７（図４参照）に接続される。なお、本明細書中、基板側コネクタ１３及び電線側コネクタ１７は、それぞれの嵌合側を「前」として説明する。
【００２１】
本実施形態の電線側コネクタ１７は、合成樹脂製の電線側ハウジング２９を有する。電線側コネクタ１７は、電線側ハウジング２９の後端面１２７に、電線挟持部材３１が装着される。つまり、電線側コネクタ１７は、電線側ハウジング２９と、金属プレート２３と、電線挟持部材３１とが、図１に示す下側から上側に積層して組み付けられている。
【００２２】
電線挟持部材３１には、電線シースカバー３３が両側一対のヒンジ部３５を介して接続されている。一対のヒンジ部３５の間には、フラットシールド電線１５が挿通される。ヒンジ部３５の間に挿通されたフラットシールド電線１５は、電線シースカバー３３がヒンジ部３５によって回転されることで、電線挟持部材３１と電線シースカバー３３とによって挟持される。電線シースカバー３３は、フラットシールド電線１５を挟持した状態で、両側のカバー側係止突起３７が、挟持部材側係止部３９に係止されて、電線巻き付け部１１９に固定される。
【００２３】
そして、電線挟持部材３１は、図４に示すように、フラットシールド電線１５の先端部４１に露出したシールド部２７を、電線側ハウジング２９に固定した金属プレート２３との間で電線幅方向（コネクタ幅方向）に沿って挟持する。更に、シールド部２７を挟持されたフラットシールド電線１５のシース部４３は、電線挟持部材３１と電線シースカバー３３の間で、電線幅方向に沿って挟持される。
【００２４】
電線側ハウジング２９の一外側面（図２中、上面）には、基板側ハウジング５３の一外側面（図２中、上面）に突設されたロック係止突起５５と共に第１ロック係止部５７を構成するロックアーム４５が設けられている（図１参照）。
ロックアーム４５は、中央部がアーム支持部４７によって電線側ハウジング２９に支持され、アーム支持部４７を中心に揺動自在となる。ロックアーム４５は、前側にアーム側係止部４９が形成され、後側に押下操作部５１が形成される。ロックアーム４５は、電線側ハウジング２９と基板側ハウジング５３が嵌合されると、アーム側係止部４９が、基板側ハウジング５３の一外正面に突設されたロック係止突起５５を係止する。これにより、電線側ハウジング２９と基板側ハウジング５３は、第１ロック係止部５７により離脱が規制されてロック状態となる。ロックアーム４５は、押下操作部５１が押下されると、アーム支持部４７を中心に揺動し、アーム側係止部４９がロック係止突起５５から係止解除されるので、電線側ハウジング２９と基板側ハウジング５３の離脱が可能になる。
【００２５】
基板側コネクタ１３は、合成樹脂製の基板側ハウジング５３に、複数の基板側端子１９が圧入により装着されている。本実施形態において、基板側端子１９は、オス端子となる。従って、電線側コネクタ１７に装着される端子である電線側端子５９は、メス端子となる。
基板側端子１９は、前方から電気接触タブ６１と、圧入部６３と、リード部６５と、が後方に向かって直線状に連設されている。また、基板側端子１９は、基板側ハウジング５３の後方に開口する基板端子挿入開口部６７に電気接触タブ６１側から挿入されることで、圧入部６３が離脱規制されて基板側ハウジング５３に装着される。装着された基板側端子１９は、リード部６５が基板側ハウジング５３の後方から導出され、このリード部６５が回路基板２１のスルーホール６９（図１参照）に挿入されて半田付けされる。
【００２６】
基板側ハウジング５３の両側後方には、基板側端子１９の並び方向に直交する方向に延在する基板当接部７１が一体に形成されている。基板当接部７１の外側面には、嵌合方向に延びるペグ装着溝７３が形成されている。ペグ装着溝７３には、略短冊状に形成された導電金属製の固定金具であるペグ７５が挿入される。
【００２７】
挿入されたペグ７５は、両側縁から突出したペグ係止爪７７を係止させることによってペグ装着溝７３に圧入固定される。ペグ７５には、回路基板２１との半田付け時に固定強度を高めるため、ペグ突出端７９に透孔８１が穿設されている。また、ペグ７５には、ペグ７５を基板側ハウジング５３の外側面から離間させるための離間突起８３（図２参照）と、金属プレート２３のＵ字状両端突出片２５が係合するペグ凸部８５（図５参照）と、が設けられている。
【００２８】
ペグ装着溝７３に固定されたペグ７５は、透孔８１側のペグ突出端７９が基板当接部７１から回路基板２１に向かって突出される一方、ペグ凸部８５側がペグ装着溝７３に配置される。基板当接部７１から突出したペグ突出端７９は、回路基板２１に穿設されるペグ固定孔８７（図５（ｃ）参照）に挿入されて半田付けされる。即ち、ペグ７５は、基板側ハウジング５３に固定され、基板側ハウジング５３を回路基板２１に保持固定すると共に、回路基板２１のアース回路８９に電気的に接続される。
【００２９】
本実施形態の電線側コネクタ１７は、電線側ハウジング２９に、電線側端子５９が装着される。電線側ハウジング２９に装着された電線側端子５９は、電線側ハウジング嵌合先端面９１（図４参照）に開口される端子受入口９３から進入する基板側コネクタ１３の電気接触タブ６１に、電気接触箱部９５が接触する。電線側端子５９は、電気接触箱部９５が電線側ハウジング２９の内方に設けられた不図示のランスに係止されて、離脱規制されて電線側ハウジング２９に装着される。電線側端子５９は、電気接触箱部９５の後方に圧接刃９７が連設されている。この圧接刃９７は、フラットシールド電線１５の信号ライン９９（図５参照）の内部被覆を切り裂いて導体（不図示）と接続される。即ち、電線側ハウジング２９は、フラットシールド電線１５の各導体に接続される電線側端子５９を収容保持している。
【００３０】
電線側ハウジング嵌合先端面９１の周囲には、基板側ハウジング５３のフード部１０１（図２参照）を挿入するフード挿入溝部１０３（図４参照）が形成される。電線側ハウジング２９の両側前方には、係合ブロック部１０５（図２参照）が一体に形成されている。係合ブロック部１０５は、基板側コネクタ１３と電線側コネクタ１７との嵌合時、基板当接部７１に当接する。それぞれの係合ブロック部１０５には、前後方向に貫通するプレート貫通孔１０７が穿設されている。このプレート貫通孔１０７には、金属プレート２３のＵ字状両端突出片２５が挿入され、挿入されたＵ字状両端突出片２５が、係合ブロック部１０５の内方に配置される。
【００３１】
金属プレート２３は、帯状金属板の両側を一方の面側に同一長さで垂直に折り曲げたＵ字状に形成される。その折り曲げられた両端側がＵ字状両端突出片２５となる。それぞれのＵ字状両端突出片２５には、プレート貫通孔１０７に圧入係合するプレート側係止突起１０９と、ペグ凸部８５に係合するプレート凹部１１１と、が形成されている。そこで、金属プレート２３のプレート凹部１１１が、ペグ７５のペグ凸部８５と共に第２ロック係止部１１３（図５参照）を構成している。プレート凹部１１１は、透孔であっても、有底凹部の何れであってもよい。プレート凹部１１１の形状は限定されないが、ペグ凸部８５とがたつきのない嵌着が得られる形状であることが好ましい。例えば、プレート凹部１１１及びペグ凸部８５の形状は、円形状とするよりも、四角形状とすることが好ましい。これにより、Ｕ字状両端突出片２５の面に垂直な回転中心軸回りの金属プレート２３の回転を規制することが可能となる。
【００３２】
金属プレート２３は、両側のＵ字状両端突出片２５の間が、シールド板部１１５（図６参照）となる。このシールド板部１１５は、金属プレート２３が電線側ハウジング２９に固定された状態で、電線側ハウジング２９に装着された電線側端子５９に接続されたフラットシールド電線１４の先端部４１の後方側を覆って挟持するように配置される。なお、電線側端子５９の圧接刃９７は、このシールド板部１１５に接触することなく、シールド板部１１５を迂回して後方へ突出される。
【００３３】
金属プレート２３が装着された電線側ハウジング２９の後方には、電線挟持部材３１が装着される。電線側ハウジング２９の係合ブロック部１０５には電線挟持部材固定溝１１７（図２参照）が外側面に凹設されている。電線挟持部材３１は、直方体状の電線巻き付け部１１９の両側に係止枠部１２１が、係合ブロック部１０５に向かって突出されている。電線挟持部材３１は、電線巻き付け部１１９が金属プレート２３のシールド板部１１５に当接した状態で、係止枠部１２１が電線挟持部材固定溝１１７の挟持部材固定突起１２３に係止されて、電線側ハウジング２９に固定される。
【００３４】
このシールド板部１１５と電線巻き付け部１１９との間には、図４に示すように、フラットシールド電線１５のシールド部２７が挟持されることになる。即ち、電線挟持部材３１は、フラットシールド電線１５の先端部４１に露出したシールド部２７を電線側ハウジング２９に固定した金属プレート２３との間で挟持する。
【００３５】
上記のように、電線挟持部材３１は、フラットシールド電線１５の先端部４１に露出したシールド部２７を、電線側ハウジング２９の後方に固定した金属プレート２３との間で電線幅方向に沿って挟持する。
図４（ｂ）に示すように、電線側ハウジング２９の後端面１２７と電線挟持部材３１との挟持間隙から導出されたフラットシールド電線１５は、電線挟持部材３１の電線シースカバー側面（図４の下側側面）１２９に沿って略直角に曲げられて導出された後、電線シースカバー３３によって挟持される。電線シースカバー３３は、フラットシールド電線１５を挟持した状態で、両側のカバー側係止突起３７が、挟持部材側係止部３９に係止されて、電線側ハウジング２９に固定される。そこで、電線巻き付け部１１９と電線シースカバー３３との間では、シース部４３で覆われた部分のフラットシールド電線１５が挟持される（図４参照）。
【００３６】
電線挟持部材３１の電線シースカバー側面１２９に沿うようにして電線側ハウジング２９の後端面１２７と電線挟持部材３１との挟持間隙から導出されたフラットシールド電線１５は、図３に示すように、Ｌ字状に屈曲される。屈曲されたフラットシールド電線１５の先端部４１は、シース部４３が除去されてアルミ箔等からなるシールド部２７が露出されている。先端部４１は、更にシールド部２７が除去され、複数の平行導体が内部被覆によって覆われた複数の信号ライン９９が導出される。
【００３７】
シールド部２７は、電線側ハウジング２９に装着された金属プレート２３のシールド板部１１５に後方から接触し、その後方から電線挟持部材３１によって押圧されて挟まれる。これにより、シールド部２７と金属プレート２３とが導通される。シールド部２７からは複数の信号ライン９９（図５参照）が導出され、それぞれの信号ライン９９は対応する圧接刃９７によって内部被覆が切り裂かれて導体が対応の電線側端子５９に導通される。
【００３８】
電線側コネクタ１７は、基板側コネクタ１３との嵌合直前で、基板側コネクタ１３のフード部１０１が、フード挿入溝部１０３に挿入され、コネクタ相互の相対位置が位置決めされる。この位置決め状態で、電線側コネクタ１７から突出した一対のＵ字状両端突出片２５は、基板側コネクタ１３の一対のペグ７５の外側に近接して配置される。
【００３９】
それぞれのＵ字状両端突出片２５の先端内側には傾斜面で形成された拾い代１２５（図５参照）が設けられている。また、Ｕ字状両端突出片２５は、内外方向に規制がないので、同方向にはフリーに移動できる。これにより、金属プレート２３のＵ字状両端突出片２５は、ペグ７５との接触方向に沿って弾性変形可能とされている。
【００４０】
従って、嵌合開始から嵌合が進んだＵ字状両端突出片２５は、拾い代１２５がペグ７５に当接して外側へ弾性変形して撓み、ペグ７５の外面に摺接しながら所定位置までスライドされる。所定位置までスライドされたＵ字状両端突出片２５は、ペグ凸部８５にプレート凹部１１１が嵌合して確実な接触状態となってロックされる。
【００４１】
次に、上記構成を有するコネクタ装置１１の作用を説明する。
本実施形態のコネクタ装置１１では、電線側ハウジング２９に電線側端子５９が収容される。電線側端子５９は、圧接刃９７が電線側ハウジング２９の後端面１２７（図４参照）から後方に向かって略垂直に突出される。電線側ハウジング２９の後端面１２７には、フラットシールド電線１５の先端部４１が平行に接する。この先端部４１は、シース部４３が除去されてシールド部２７が露出している。フラットシールド電線１５の先端側は、圧接刃９７の近傍で更にシールド部２７が除去されている。フラットシールド電線１５は、シールド部２７が除去されて露出した内部被覆が、圧接刃９７によって切り裂かれることで、内方の導体が電線側端子５９と導通する。
【００４２】
電線側ハウジング２９の後端面１２７と平行に配置されているシールド部２７は、電線側ハウジング２９の後端面１２７に固定した金属プレート２３と電線挟持部材３１との間で挟持されることによって、金属プレート２３に電気的に接続された状態となる。そして。電線側ハウジング２９の後端面１２７と電線挟持部材３１との挟持間隙から導出されたフラットシールド電線１５は、電線巻き付け部１１９の電線シースカバー側面１２９（図４参照）に沿って略直角に曲げられて後方へ導出される。これにより、フラットシールド電線１５には屈曲部１３１が形成される。電線挟持部材３１は、電線巻き付け部１１９にフラットシールド電線１５を巻き付けることで、フラットシールド電線１５に作用した張力を摩擦によって支持し、電線側端子５９との導体接触部に、外力が作用しないようにしている。
【００４３】
本実施形態のコネクタ装置１１では、基板側ハウジング５３のコネクタ幅方向における両側面に固定された一対のペグ７５が、回路基板２１に半田付けされることで、基板側コネクタ１３を回路基板２１に固定している。
また、ペグ７５は、この際の半田付けにより、回路基板２１のアース回路８９に導通される。ペグ７５は、コネクタ嵌合時、フラットシールド電線１５のシールド部２７と導通した金属プレート２３と接触することで、回路基板２１のアース回路８９をフラットシールド電線１５のシールド部２７に接続する。
更に、ペグ７５は、金属プレート２３のプレート凹部１１１との接触部にペグ凸部８５を設けて嵌合構造とした第２ロック係止部１１３を構成することで、金属部材同士の高い固定強度を利用し、基板側コネクタ１３と電線側コネクタ１７との嵌合を保持する。
【００４４】
即ち、本実施形態に係る基板側コネクタ１３と電線側コネクタ１７とのコネクタ嵌合時には、基板側ハウジング５３と電線側ハウジング２９との間に設けたロックアーム式の第１ロック係止部５７（図１参照）と、金属プレート２３とペグ７５との間に設けた第２ロック係止部１１３（図６参照）とが、同時に係止されて二重係止となる。そこで、本実施形態に係るコネクタ装置１１は、コネクタ嵌合保持力が向上する。
【００４５】
また、第２ロック係止部１１３が、電線側ハウジング２９に固定された金属プレート２３と回路基板２１及び基板側ハウジング５３に固定されたペグ７５との間に設けられるので、電線側ハウジング２９と基板側ハウジング５３との間には第１ロック係止部５７を１箇所だけを設ければよい。そこで、上記構成のコネクタ装置１１は、電線側ハウジングと基板側ハウジングとの間に複数のロック係止部をコネクタの幅方向両端に設けていた従来のコネクタ装置に比べて、小型化することができる。
【００４６】
本実施形態のコネクタ装置１１は、第１ロック係止部５７が、基板側ハウジング５３及び電線側ハウジング２９の一外側面におけるコネクタ幅方向の中央部１箇所で双方をロックし、第２ロック係止部１１３が、基板側ハウジング５３及び電線側ハウジング２９のコネクタ幅方向の両端部２箇所に設けられたペグ７５と金属プレート２３とをロックしている。即ち、基板側ハウジング５３と電線側ハウジング２９は、第１ロック係止部５７と第２ロック係止部１１３とによって三点支持にて固定されるので、がたつきの生じることのない高いコネクタ嵌合保持力を得ることができる。
【００４７】
また、本実施形態の金属プレート２３はＵ字状に形成されて、Ｕ字状両端突出片２５が電線側ハウジング２９を後方から囲み、Ｕ字状両側の一対の突出先端側が電線側ハウジング２９の両側方に穿設されたプレート貫通孔１０７に挿入され、このプレート貫通孔１０７内でペグ７５に係止される。これにより、図５（ｂ），（ｃ）に示すように、第２ロック係止部１１３は、電線側ハウジング２９に覆われた状態となり、不用意に解除されることがない信頼性の高いロックが可能となる。
【００４８】
また、本実施形態に係るコネクタ装置１１では、電線側端子５９が接続された先端部４１よりも後方のシース部４３で覆われた部分の電線側ハウジング２９と電線挟持部材３１との挟持間隙から導出されたフラットシールド電線１５が、電線シースカバー側面１２９に沿って略直角に曲げられて導出された後、電線シースカバー３３によって挟持されている。そこで、フラットシールド電線１５に作用した張力がフラットシールド電線１５の導体と電線側端子５９との導体接触部に作用する虞がない。そこで、フラットシールド電線１４の端部に接続された電線側コネクタ１７の接続信頼性を高めることができる。
【００４９】
従って、本実施形態に係るコネクタ装置１１によれば、大型化することなくコネクタ嵌合保持力を向上させることができる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００５０】
１１…コネクタ装置
１３…基板側コネクタ
１５…フラットシールド電線（シールド電線）
１７…電線側コネクタ
１９…基板側端子
２１…回路基板
２３…金属プレート
２７…シールド部
２９…電線側ハウジング
３１…電線挟持部材
３３…電線シースカバー
４１…先端部
４３…シース部
４５…ロックアーム
５３…基板側ハウジング
５５…ロック係止突起
５７…第１ロック係止部
５９…電線側端子
７５…ペグ（固定金具）
８５…ペグ凸部
８９…アース回路
１１１…プレート凹部
１１３…第２ロック係止部
【図１】
2014222648.tif 000003
【図２】
2014222648.tif 000004
【図３】
2014222648.tif 000005
【図４】
2014222648.tif 000006
【図５】
2014222648.tif 000007
【図６】
2014222648.tif 000008
【図７】
2014222648.tif 000009